【事件の表示】
　上記当事者間の特許第５９０３１３０号発明「海苔製造機」の特許無効審判事件について、次のとおり審決する。
【結　論】
　本件審判の請求は、成り立たない。
　審判費用は、請求人の負担とする。
【理　由】
第１  手続の経緯
　本件特許第５９０３１３０号は、平成２６年７月９日に出願され、平成２８年３月１８日に設定登録されたものである。
　また、本件無効審判請求に係る手続の経緯は、以下のとおりである。
平成３０年　７月１１日　　審判請求書
平成３０年１１月　１日　　審判事件答弁書
平成３０年１２月２７日　　審理事項通知書
平成３１年　１月３０日　　口頭審理陳述要領書（被請求人）
平成３１年　１月３１日　　口頭審理陳述要領書（請求人）
平成３１年　３月　１日　　第１回口頭審理
第２　本件発明
　特許第５９０３１３０号（以下、「本件特許」という。）の請求項１及び２に係る発明は、その特許請求の範囲の請求項１及び２に記載された事項により特定される次のものである（以下、請求項１及び２に係る発明を、それぞれ「本件発明１」及び「本件発明２」といい、総称して「本件発明」という。）
「【請求項１】
　建屋の内部に設置された海苔製造機であって、抄製した海苔生地を加熱空気で乾燥させる乾燥室と、乾燥室に加熱空気を供給する加熱室とを有し、加熱室の吸気部から吸気した空気を加熱して乾燥室に供給するとともに、海苔生地の乾燥に使用した加熱空気を乾燥室の排気部から排気する海苔製造機において、
　乾燥室の排気部と加熱室の吸気部との間に乾燥室の排気部から加熱室の吸気部へと流入する空気の流入量を規制するための空気流入量規制装置を介設し、前記加熱室に複数の加熱装置を設けるとともに、各加熱装置に対応する空気流入量規制装置を設け、乾燥室の内部の湿度に応じて空気の流入量を規制するよう空気流入量規制装置を制御するコントローラーを有し、
　コントローラーは、各空気流入量規制装置を別個に制御し、乾燥室の後側部分の湿度が所定湿度（第２後側所定湿度）よりも高い場合に、後側部分の空気流入量規制装置を制御して乾燥室の排気部から加熱室の前側の吸気部に流入する空気の量を減少させることを特徴とする海苔製造機。
【請求項２】
　前記コントローラーは、乾燥室の後側部分の湿度が前記第２後側所定湿度よりも高い所定湿度（第１後側所定湿度）よりも高い場合に、後側部分の空気流入量規制装置を制御して乾燥室の排気部から加熱室の後側の吸気部に流入する空気の量を減少させることを特徴とする請求項１に記載の海苔製造機。」
第３　無効理由及び無効理由に対する答弁
１．請求人主張の無効理由の概要
　請求の趣旨は、「特許第５９０３１３０号発明の特許請求の範囲の請求項１及び２に記載された発明についての特許を無効とする。審判費用は被請求人の負担とするとの審決を求める。」であり、請求の理由の概要は以下のとおりである。
（１）無効理由１（進歩性欠如） 
　本件特許の請求項１及び２に係る発明は、その特許出願前に当業者が以下の甲第１号証記載の発明及び甲第２〜４号証に記載された事項に基づき容易に発明をすることができたものであるから、特許法第２９条第２項の規定により特許を受けることができないものであり、その特許は同法第１２３条第１項第２号に該当し、無効とすべきものである。 
  
（２）無効理由２（実施可能要件違反） 
　本件特許明細書の発明の詳細な説明の記載は、「所定湿度」について具体的記載がなく、「前後の乾燥室の湿度を均一にするために」当業者がどのように実施すれば良いのか理解できず、当業者が請求項１及び２に係る発明を実施することができる程度に明確かつ十分に記載したものではないから、特許法第３６条第４項第１号に規定する要件を満たしておらず、その特許は同法１２３条第１項第４号に該当し、無効とすべきである。 
  
（３）無効理由３（明確性要件違反） 
　本件特許の請求項１及び２記載の「所定湿度」は技術的な意義が不明確であるから、特許法第３６条第６項第２号に規定する要件を満たしておらず、その特許は同法第１２３条第１項第４号に該当し、無効とすべきである。
２．請求人提出の証拠方法
　請求人が提出した証拠方法は以下のとおりである。
　
甲第１号証：特開２００５−２８７５０２号公報
甲第２号証：特開平１１−２１５９７１号公報
甲第３号証：特開２０１３−８５４９７号公報
甲第４号証：特開２００８−６１５７６号公報
甲第５号証：渕上哲　外２名，「ノリ製品の『くもり』と『割れ』の乾燥条件」，福岡水技セ研報　第１２号，２００２年３月，ｐ８９−９１
　以下、それぞれ「甲１」〜「甲５」という。
３．無効理由に対する被請求人の主張
　答弁の趣旨は、「本件審判請求は成り立たない、審判費用は請求人の負担とするとの審決を求める。」である。
第４　当審の判断
  事案に鑑み、無効理由２及び３から検討する。
１．無効理由２（特許法第３６条第４項第１号）について
　請求人は、「『第２後側所定湿度』を具体的にどのように設定するか全く不明であるから、当業者と言えども『乾燥海苔の商品価値を損ねない』ように実施することができない。」（審判請求書２１頁１２〜１４行）と主張している。
　しかし、本件発明が、海苔生地の乾燥に使用された「湿度の高い空気が再び加熱室で加熱されて乾燥室に供給されるために、乾燥室の内部の湿度が高くなってしまい、海苔生地を良好に乾燥させることができず、乾燥海苔の商品価値を損ねるおそれがあ」るという課題（段落【０００８】，【０００９】参照。）を解決する発明であることからすれば、請求項１記載の「第２後側所定湿度」とは、「海苔の乾燥に売り物にならない程度の悪影響を与えない湿度」であると認められる（この点、両当事者から異論はない（第１回口頭審理調書の審判長２の記載参照。）。）。よって、本件明細書において、具体的な湿度の値等が示されていなくても、上記の湿度の範囲内で「第２後側所定湿度」は適宜設定できるから、当業者が本件発明を実施することは可能である。
　そして、本件発明１は、当該湿度よりも乾燥室の後側部分の湿度が高い場合に、後側部分の空気流入量規制装置を開口面積が増大する方向に制御することにより、（乾燥室の排気部から加熱室の後側の吸気部に流入する空気の量を増大させ、結果として）乾燥室の排気部から加熱室の前側の吸気部に流入する空気の量を減少させるものであり、また、本件発明２は、乾燥室の後側部分の湿度が前記第２後側所定湿度よりも高い所定湿度（第１後側所定湿度）よりも高い場合に、後側部分の空気流入量規制装置を開口面積が減少する方向に制御することにより、乾燥室の排気部から加熱室の後側の吸気部に流入する空気の量を減少させるものであり、当該前側及び後側の吸気部に流入する空気の量を減少すれば、湿度の高い空気の加熱室への流入を防ぐことで「乾燥海苔の商品価値を損ねない」ようにできることは明らかであるから、当業者は本件発明を実施できる。
　請求人は、「乾燥室の後側の湿度を所定範囲にいくら制御しても、その制御の影響で前側の湿度が品質に悪影響を与えない範囲を超えてしまえば、請求人が主張するような『乾燥海苔の商品価値を損ねない』という効果を奏することはできず、前後一方だけではなく、前後にある乾燥室全体の湿度の監視と制御が必ず必要となる」と主張している（審判請求書２１頁７〜１１行）。
　しかし、上記したとおり、当業者は本件発明を実施することができるのであるから、当該請求人の主張は採用できない。
　よって、本件明細書の発明の詳細な説明は、当業者が本件発明を実施することができる程度に明確かつ十分に記載したものである。
　以上のとおりであるから、請求項１及び２についての特許は、無効理由２によって無効とすることはできない。
２．無効理由３（特許法第３６条第６項第２号）について
　上記１．で述べたとおり、請求項１記載の「所定湿度（第２後側所定湿度）」とは「海苔の乾燥に売り物にならない程度の悪影響を与えない湿度」であり、また、請求項２の「所定湿度（第１後側所定湿度）」とは、請求項２に記載されているとおり、「第２後側所定湿度よりも高い」湿度であるから、「所定湿度（第２後側所定湿度）」及び「所定湿度（第１後側所定湿度）」が不明確であるとはいえない。
　よって、請求項１及び２に係る特許は、無効理由３によって無効とすることはできない。
３．無効理由１（特許法第２９条第２項）について
（１）甲各号証の記載事項
ア．甲１の記載事項
（ア）「【請求項１】
　簀ホルダーに保持された簀上に抄部において生海苔を抄き上げ、抄き上げられた生海苔を脱水部において脱水した後、簀ホルダーを乾燥室内を搬送しながら生海苔を乾燥させるようにした海苔製造装置の乾燥室に付設される補助装置であって、
　乾燥室の真上にあって乾燥室から２次空気が吹き上げられる第１室と、この第１室の側部にあって第１室と連通する第２室と、乾燥室から第１室へ吹き上げられた２次空気を外界へ放出するためのファンから成る排気ユニットとを備え、排気ユニットを乾燥室の前後方向に複数個設け、また１次空気を外部から導入するための１次空気導入部を第２室の前後方向に複数設けることにより第２室を外部から導入された１次空気と乾燥室から吹き上げられて第１室を通って流入した２次空気の混合室とするとともに乾燥室をその前後方向に温度及び又は湿度の調整が可能な複数のブロックに分割し、この混合室の混合ガスを乾燥室の下部へ送り込むようにしたことを特徴とする海苔乾燥室の補助装置。
【請求項２】
　前記各ブロックの温度及び又は湿度を表示する表示画面を有する表示装置を設け、この表示装置の表示画面に表示された温度及び又は湿度に基づいて前記排気ユニットを制御するようにしたことを特徴とする請求項１記載の海苔乾燥室の補助装置。
【請求項３】
　前記１次空気導入部は開閉部であって、これらの開閉部の開閉を制御することにより、前記第２室に導入される１次空気の量を調整し、これにより前記各ブロックの温度及び又は湿度を互いに独立して個別に調整自在としたことを特徴とする請求項１記載の海苔乾燥室の補助装置。
【請求項４】
　前記各ブロックの温度及び又は湿度を表示する表示画面を有する表示装置を設け、この表示装置の表示画面に表示された温度及び又は湿度に基づいて前記開閉部を制御するようにしたことを特徴とする請求項３記載の海苔乾燥室の補助装置。
【請求項５】
　前記第１室に、外部空気を導入し上方の外界へ放出するための開閉扉を設けたことを特徴とする請求項１〜４のいずれかに記載の海苔乾燥室の補助装置。
【請求項６】
　前記乾燥室から吹き上げる２次空気の温度及び又は湿度の検知手段を設け、また検知手段で検知された温度及び又は湿度を表示する表示画面を有する表示装置を設け、この表示装置の表示画面に表示された温度及び又は湿度に基づいて前記排気ユニット及び又は前記開閉部を制御するようにしたことを特徴とする請求項１記載の海苔乾燥室の補助装置。」
（イ）「【発明が解決しようとする課題】
【０００３】
　乾海苔の仕上り（品質）は、乾燥の良・不良に大きく左右される。したがって高品質の
乾海苔を製造するためには、乾燥室の湿度や温度の管理がきわめて重要である。一方、近年、海苔製造装置は益々大型化しており、これにともない乾燥室も長大化している。したがって長大な乾燥室全体の湿度や温度を適切に管理・調整することはきわめて困難になってきている。
【０００４】
　そこで本発明は、特に長大化した乾燥室の温度や湿度の管理・調整を良好に行える海苔乾燥室の補助装置を提供することを目的とする。
　・・・・・
【発明の効果】
【０００６】
　本発明によれば、乾燥室全体の温度及び又は湿度を的確に調整でき、これにより乾燥ムラのない海苔乾燥を行い、品質のよいシート状の乾海苔を製造することができる。特に、１次空気導入部を開閉部として前後方向に複数設け、これらの開閉部の開閉を制御することにより、各ブロックの温度及び又は湿度を互いに独立して個別調整し、これにより乾燥室が長大であっても、その全体の温度や湿度を最適に調整できる。
【発明を実施するための最良の形態】
【０００７】
　以下、本発明の最良の実施の形態を図面を参照して説明する。図１は海苔製造装置の斜視図、図２は小屋内に設置された海苔製造装置の正断面図、図３は海苔乾燥室と上部ユニットの内部を示す側面図、図４は海苔乾燥室と第２室の内部を示す平面図、図５は開閉部の側面図、図６は制御系のブロック図、図７（ａ）、（ｂ）はモニター画面図である。
【０００８】
　図１において、１は前段部であり、抄部２、脱水部３、剥ぎ部４等を含んでいる。複数枚の簀５を張設した簀ホルダー６はチェンコンベア等のコンベア（図示せず）により移動しながら抄部２において簀５上に生海苔をシート状に薄く抄き上げ、次いで簀ホルダー６を海苔脱水部３へ移動させて抄き上げられた生海苔を脱水し、次いで簀ホルダー６を乾燥室９内に搬入する。そして乾燥室９内を簀ホルダー６をコンベア７（図２）により前後方向（乾燥室９の長手方向であって、図２では紙面に垂直な方向）へ搬送しながら簀５に貼着する生海苔ｍ（図２）を乾燥させた後、前段部１もしくは乾燥室９の出口付近に設けられた剥ぎ部４において乾燥済みのシート状の乾海苔ｍを簀５から剥ぎ取る。乾燥室９には、各所の温度や湿度を表示するための表示装置６０が付設されている。６１はその表示画面である。
【０００９】
　次に、乾燥室９とその周辺の設備について説明する。図２において、前段部１や乾燥室９等から成る海苔製造装置は小屋１００内に設置されている。乾燥室９は長尺であり、その上部には乾燥室９の補助装置としての上部ユニット１０が設けられている。この上部ユニット１０は、既設の乾燥室に後付けして付設することが可能である。
【００１０】
　上部ユニット１０は、乾燥室９の真上にあって、乾燥室９から温風が吹き上げられる（矢印Ａ）第１室１１を有している。第１室１１はその上方の天井空間１２に連通している。第１室１１の側部にはこれと連通する第２室１３が設けられている。上部空間としての天井空間１２は、外界への連通部２４が設けられている。連通部２４は、例えば単なる開口部あるいはダンパー等から成る開閉部から成っている。
【００１１】
　乾燥室９および第１室１１の側部には側室としての第３室１４が設けられている。第２室１３は第３室１４の内部に設けられており、１次空気と２次空気の混合室となっている。第３室１４は小屋１００の一部であって、小屋１００の隙間や出入口などから１次空気（外界の新鮮な低温・低湿の空気）が導入され、この１次空気は第３室１４を通して第２室１３に導入される（矢印Ｅ）。本実施の形態では、小屋１００の一部を第３室１４として利用している。乾燥室９の上部は開口部８となっており、第１室１１に連通している。なお、開口部８には開閉自在なダンパーなどから成る開閉部を設けてもよい。
【００１２】
　第１室１１の側壁には上部ヒンジを中心に回転して開閉する扉状の開閉部１８が設けられている。この開閉部１８を開くと、乾燥室９の側方の作業室１９内の空気は第１室１１および天井空間１２を通って上方の外界へ放出される（矢印Ｈ）。開閉部１８は、手動式又は自動式の何れでもよい。開閉部１８の設置理由は次のとおりである。すなわち作業室１９には、海苔製造装置から排出されたシート状の乾海苔の後処理装置（海苔の良否選別機、折曲機、結束機等）２００が設置されている。ここで、作業室１９の湿度が高くなると、後処理装置２００における乾海苔に悪影響を与える。そこでこのような場合、開閉部１８を開くことにより、作業室１９内の高湿の空気（外部空気）を矢印Ｈで示すように上方の外界へ放出し、作業室１９の湿度を下げるものである。
【００１３】
　図２において、第１室１１の適所、望ましくはその上部には上方空間への連通部としての第１の開閉部２１（２１１〜２１５）が設けられており、これが開閉することにより第１室１１と天井空間１２の間を開閉する。また第１室１１の上部には、乾燥室９から吹き上げられた第１室１１内の２次空気を吸い上げて上方の天井空間１２へ上昇させるためのファン１５（１５１〜１５５）が設けられている。第１の開閉部２１とファン１５は排気ユニットとなっている。排気ユニットは、乾燥室９内の湿度が異常に高くなった場合に、この過湿の２次空気を外界へ放出し、これにより乾燥室９の湿度を下げるのに特に有効である。
【００１４】
　第２室１３には１次空気導入部としての第２の開閉部２２（２２１〜２２５）が前後方向に複数個（本例では５個）設けられており、これが駆動することにより第２室１３と第３室１４の間を開閉する。なお本発明で前後方向とは、乾燥室９の長手方向をいう。第２の開閉部２２が開くと、外部の低温・低湿の１次空気は第２室１３に導入される（矢印Ｅ）。第２の開閉部２２は、ダンパーなどの開閉度が調整自在なものが望ましい。この場合、その開閉度を調整することにより、第２室１３に導入される１次空気の量を調整することができる。第２の開閉部２１は特に乾燥室９の各ブロックＢ１〜Ｂ５（後述）の湿度が高くなったときに、低湿の１次空気を各ブロックＢ１〜Ｂ５に導入して湿度を下げるのに有効である。
【００１５】
　第１室１１と第２室１３の間には連通部２３（２３１〜２３５）が設けられている。この連通部２３は開閉式であり、これが駆動することにより第１室１１と第２室１３の間を開閉する。この第３の開閉部２３が開くと、乾燥室９から吹き上げられて第１室１１内に導入された高温多湿の２次空気は第２室１３内に導入される（矢印Ｄ）。すなわち第３の開閉部２３は、乾燥室９から第１室１１に吹き上げた２次空気を第２室１３に導入するための２次空気導入部となっている。
【００１６】
　第３の開閉部２３の開閉は乾燥室９内が適温適湿となるように自由に行ってよいが、常時開としてもよい。すなわち、第３の開閉部２３は開閉しない単なる連通部（開口部）としてもよい。天井空間１２の上部には外界へ連通する連通部としての第４の開閉部２４が設けられており、第１室１１から天井空間１２に吹き上げられた空気はここから外界へ放出される（矢印Ｂ）。第４の開閉部２４も開閉しない単なる開口部としてもよい。ファン１５及び各開閉部２１〜２４は、乾燥室９の長手方向に複数個（本実施の形態では５個）並設されており、これにより乾燥室９を前後方向に複数（本実施の形態では５つ）の温度や湿度の調整が可能なブロック（Ｂ１，Ｂ２，Ｂ３，Ｂ４，Ｂ５）に実質的に分割されている。なお図にはあらわれていないが、第４の開閉部２４も第１〜第３の開閉部２１〜２３と同様に乾燥室９の長手方向（前後方向）に複数個（本例では５個）設けられている。
【００１７】
　図５は、第１〜第４の開閉部２１〜２４の開閉機構を示している。各開閉部２１〜２４のダンパー２５は、リンク機構２６を介して駆動部としてのモータＭに駆動されるようになっており、矢印ａ方向へ揺動することにより開閉する。２７は軸部である。このうち、少なくとも第２の開閉部２２は、その開閉度を調整自在にすることが望ましい。なお、かかる開閉機構は公知である。
【００１８】
　図１および図２において、第３室１４の内部には、乾燥室９の長手方向に長尺のダクト３０が水平に設けられている。ダクト３０の上面には、温風吹出部としての開口部３１（３１１〜３１５）が開口されている。開口部３１は複数個、望ましくは第２の開閉部２２（２２１〜２２５）に対応してこれと同数（５ヶ所）開口されており、それぞれ第２の開閉部２２の外部下方に位置している。
【００１９】
　図２において、ダクト３０は、パイプ３２を通して温風機３３に接続されている。温風機３３はこれに吸入された外界の新鮮・低温・低湿の１次空気を暖めてダクト３０へ送り、開口部３１から第３室１４内へ温風として吹き出す（矢印Ｆ）。吹き出された温風は、第２の開閉部２２から第２室１３内に吸い込まれる（矢印Ｅ）。温風機３３で暖めた１次空気を第２室１３へ供給するタイミングは自由に決定できるのであって、要は乾燥室９内が異常高温あるいは過湿状態となったときや乾燥室９内に新鮮な１次空気を供給したいときなどに、第２の開閉部２２を開いて第２室１３に１次空気を導入し、更に空気加熱機３４で加熱して乾燥室９の下部へ送り込む。
【００２０】
　ファン１５や各開閉部２１〜２４などの動作部は、コンピュータなどの制御部５０（後述）に制御される。本発明は、長大な乾燥室９の内部全体の温度や湿度を最適に管理・調整しようとするものであり、この目的を達成するためのファン１５、各開閉部２１〜２４、温風機３３、空気加熱機３４、湿気生成機４０等の設計仕様や運転制御方法等は自由に決定できるのであって、本実施の形態や後述する運転制御方法に限定されるものではない。なお本発明では、外界から導入されて乾燥室９へ送り込まれる新鮮・低温・低湿な空気を１次空気といい、乾燥室９内で生海苔の水分を奪って乾燥室９から排出される高温多湿の空気を２次空気という。
【００２１】
　図２において、第３室１４内部における第２室１３の下部にはバーナーなどから成る空気加熱機３４が設けられている。空気加熱機３４は、第２室１３からこれに導入された空気（矢印Ｃ）を加熱して温風として乾燥室９の下部へ送り込み、乾燥室９内を上方へ吹き上げる（矢印Ａ）。乾燥室９内には生海苔ｍを抄き上げた簀５を保持する簀ホルダー６がコンベア７に搬送されて循環しており、温風が生海苔ｍに吹き当ることによりこれを乾燥させる。
【００２２】
　図２において、４０はボイラーなどから成る湿気生成機であり、これにより生成された蒸気のような湿気の多い多湿空気はホース４１を通り、排出部４２から第３室１４内へ送り込まれ（矢印Ｇ）、第２の開閉部２２から第２室１３に導入され（矢印Ｅ）、更に空気加熱機３４で加熱されて乾燥室９の下部へ送り込まれる（矢印Ｃ）。湿気生成機４０で生成した湿気を第２室１３を通じて乾燥室９へ送り込むタイミングは自由に決定できるのであって、要は乾燥室９内の湿度が低下したときに、第２の開閉部２２を開いて湿気を第２室１３に導入し、更に空気加熱機３４で加熱して乾燥室９へ送り込むようにすればよい。なお外界の１次空気は、外界から第２室１３へ直接導入せず、本実施の形態のように一旦第３室１４に導入し、第３室１４から第２室１３へ導入することにより、外界の気象等の影響を受けずに、第２室１３への安定した１次空気の導入を図ることができる。
【００２３】
　図３において、乾燥室９の各ブロックＢ１〜Ｂ５の内部望ましくは下部には温度及び又は湿度を検知・測定する温度及び又は湿度の検知手段としての第１のセンサーＳ１〜Ｓ５が設けられている。各ブロックＢ１〜Ｂ５のうち、何れかのブロックＢ１〜Ｂ５の湿度が高いことがこれらのセンサーＳ１〜Ｓ５によって検知されたならば、当該ブロックに対応する第２の開閉部２２を大きく開き、低湿の１次空気をこの当該ブロックに導入し、その湿度を下げる。すなわち、各ブロックＢ１〜Ｂ５の温度及び又は湿度をそれぞれに備えられたセンサーＳ１〜Ｓ５により検知し、検知結果に基づいて第２の開閉部２２を個別に開閉制御することにより、各ブロックＢ１〜Ｂ５の温度や湿度を互いに独立して個別に調整することができる。
【００２４】
　また乾燥室９の上部には、乾燥室９から吹き上げられる２次空気の温度及び又は湿度の検知手段としての第２のセンサーＳａが設けられている。第２のセンサーＳａの個数は任意であり、複数設ける場合は検出値の平均値を演算してこれを検出値とすればよい。上述のように、乾燥室９から吹き上げる２次空気の湿度が高いことがこのセンサーＳａで検知されたならば、排気ユニット（ファン１５と第１の開閉部２１）を駆動し、これにより乾燥室９の過湿の２次空気を外界へ放出して乾燥室９の湿度を下げる。
　・・・・・
【００３６】
　一方、乾燥室９から吹き上げる２次空気の目標湿度（相対湿度）を３８％とした場合、図７（ｂ）に示す例では、２次空気の相対湿度は４２％であるから、目標湿度３８％よりも高い。このようにセンサーＳａで検知された２次空気の湿度が高いときには、望ましくはすべての第１の開閉部２１を開いてすべてのファン１５を回転させ、天井空間１２を通して外界へ高湿の２次空気を積極的に放出することにより、目標湿度（３８％）に低下させる。そして目標湿度となったならば、第１の開閉部２１を閉じ、またファン１５の回転を停止させる。
【００３７】
　以上のように、各ブロックＢ１〜Ｂ５や乾燥室９全体の温度や湿度を調整するための具体的方法は、様々な方法が可能であり、上記方法に限定されない。すなわち、補助装置１０のファン１５や開閉部２１〜２４、温風機３３、湿気生成機４０等の温度や湿度の調整手段やセンサーＳ１〜Ｓ５、Ｓａを上記のように構成したことにより、ブロックＢ１〜Ｂ５や乾燥室９全体の温度や湿度の調整方法は多様に可能となり、調整方法の自由度はきわめて大きいので、乾燥室９全体、あるいは各ブロックＢ１〜Ｂ５が海苔質やユーザ−の好みに適した適切な温度・湿度となるように（一般的には、長大な乾燥室９全体が均一な目標温度や目標湿度となるように）、表示装置６０の表示画面を見ながら自由に運転を遂行することができる。また勿論、各ファン１５や各開閉部２１〜２４、温風機３３、空気加熱機３４、湿気生成機４０等の制御は、周知電気回路技術やソフトウェア技術により自由に実現できる。
【００３８】
　以上のように、本発明の海苔製造装置は様々な設計変更や運転方法が可能であり、要は乾燥室９の長手方向における各ブロックが生海苔の乾燥に最適の温度・湿度になるように、ファン１５、各開閉部２１〜２４、温風機３３、空気加熱機３４、湿度生成機４０等を取り扱い・運転制御し、各ブロックＢ１〜Ｂ５の温度や湿度を互いに独立して調整すればよい。なお乾燥室のブロックの数は、ファン１５の個数よりも第２の開閉部２２の数によって決定される。本実施の形態では、排気ユニット（ファン１５と第１の開閉部２１）と第２の開閉部２２は同数（それぞれ５個）であるが、前者の数と後者の数は必ずしも同数である必要はなく、例えば前者を３個、後者を５個としてもよい。この場合、ブロックの数は後者（第２の開閉部２２）の個数（５個）となる。」
（ウ）「【図１】
【図２】
【図３】
【図５】
」
　以上の記載より、甲１には、下記の発明（以下、「甲１発明」という。）が記載されている。
「小屋１００内に設置される海苔製造装置及び補助装置であって、生海苔をシート状に薄く抄き上げ乾燥させる乾燥室９と、乾燥室に空気を加熱して温風として送り込む空気加熱機３４を有し、乾燥室９の真上にあって乾燥室９から２次空気が吹き上げられる第１室１１と、この第１室１１の側部にあって第１室１１と連通する第２室１３と、乾燥室９から第１室１１へ吹き上げられた２次空気を外界へ放出するためのファン１５及び第１の開閉部２１から成る排気ユニットとを備え、 
　排気ユニットを乾燥室９の前後方向に複数個設け、また１次空気を外部から導入するための１次空気導入部としての第２の開閉部２２を第２室１３の前後方向に複数設けることにより第２室１３を外部から導入された１次空気と乾燥室９から吹き上げられて第１室１１を通って流入した２次空気の混合室とするとともに乾燥室９をその前後方向に温度及び又は湿度の調整が可能な複数のブロックに分割し、この混合室の混合ガスを乾燥室９の下部へ送り込み、乾燥室９から吹き上げる２次空気の温度及び又は湿度に基づいてファン１５並びに第１の開閉部２１及び第２の開閉部２２を制御し、 
　第１室１１と第２室１３の間の第３の開閉部２３は、乾燥室９から第１室１１に吹き上げた２次空気を第２室１３に導入するための２次空気導入部であり、第３の開閉部２３は乾燥室９内が適温適湿となるように開閉するか常時開とし、 
　ファン１５や各開閉部２１〜２３などの動作部は、コンピュータなどの制御部５０に制御される海苔製造装置及び補助装置。」 
 
イ．甲２の記載事項
（ア）「【００１０】
【作用】上記構成の本発明によれば、シートを開閉すれば、乾燥室の湿度をコントロールできる。すなわち、例えば乾燥室内の湿度が高すぎるときは、シートを閉じて乾燥室の上部開口部から小屋の上部の排気部に通じるトンネルを形成し、このトンネルを通して多湿の空気を小屋の外部へ積極的に排出する。
【００１１】また乾燥室内の湿度が低ければ、シートを開いてトンネルを開放する。すると小屋の外部への多湿の空気の排出は抑制され、多湿の空気は小屋内に排出される。したがって小屋内部の湿度は上がり、小屋内の空気を導入する乾燥室の湿度も上昇する。
【００１２】また乾燥室の湿度を積極的に上げたいときは、空気加熱室側のシートを空気加熱室上に開く。すると乾燥室から排出された多湿の空気はこのシートに案内されて空気導入口から空気加熱室に積極的に入り、空気加熱室内で加熱されたうえで乾燥室に送り込まれる。
【００１３】上記した湿度の調整は、複数枚のシートを互いに独立して別々に開閉することにより、きめ細かく行うことができる。【００２８】図１に示すように、シート４０，４０ａは複数枚に分割されているので、きめ細かい湿度コントロールが可能である。例えば乾燥室３の前部の湿度が低いときは、前部のシート４０（符号イ）のみを開けばよく、また中央部の湿度が低いときは中央のシート４０（符号ロ）のみを開けばよく、また後部の湿度が低いときは後部のシート４０（符号ハ）のみを開けばよい。勿論、乾燥室３全体の湿度が低ければ、すべてのシート４０，４０ａを開くとともに、望ましくはファン２３ａ〜２３ｄの駆動を停止して、多湿の空気が外部へ放出されないようにする。また、後側のシート４０ａも適宜開閉できる。
　・・・・・
【００２５】次に、乾燥室３内の湿度コントロール方法を説明する。図２において、乾燥室３内の湿度が高いときは、すべてのシート４０，４０ａを実線位置に垂れ下がらせてトンネル５０を形成し、ファン２３ａ〜２３ｄを回転させて、乾燥室３の上部開口部１６から吹き出された高温・多湿の空気を排気部２１の排気口２２から積極的に外部へ排出する（矢印ｃ）。
【００２６】乾燥室３内の湿度が低いときは、図２においてひも４３を引いてシート４０，４０ａを鎖線で示す位置へ移動させ、トンネル５０を開く。すると乾燥室３の上部開口部１６から吹き出された高温・多湿の空気は、鎖線矢印Ａ，Ｂで示すように小屋２０内に排出される。
　・・・・・
【００２８】図１に示すように、シート４０，４０ａは複数枚に分割されているので、きめ細かい湿度コントロールが可能である。例えば乾燥室３の前部の湿度が低いときは、前部のシート４０（符号イ）のみを開けばよく、また中央部の湿度が低いときは中央のシート４０（符号ロ）のみを開けばよく、また後部の湿度が低いときは後部のシート４０（符号ハ）のみを開けばよい。勿論、乾燥室３全体の湿度が低ければ、すべてのシート４０，４０ａを開くとともに、望ましくはファン２３ａ〜２３ｄの駆動を停止して、多湿の空気が外部へ放出されないようにする。また、後側のシート４０ａも適宜開閉できる。
【００２９】また空気加熱室３０側のシート４０を開けば、鎖線矢印Ｂ（図２）で示すように高温・多湿の空気は空気加熱室３０内に積極的に導入され、更に乾燥室３の下部に積極的に送り込まれるので、乾燥室３内の湿度上昇効果はきわめて大きい。したがって乾燥室３内の湿度の程度に応じて、図２において乾燥室３の右側のシート４０のみを開いたり、あるいは左側のシート４０も右側のシート４０と一緒に開くようにすればよい。何れにせよ、複数枚のシート４０，４０ａをどのように開くかは、乾燥室３内の湿度状態や、生産者の好みなどに応じて自由に決定できる。
【００３０】
【発明の効果】本発明によれば、シートを開閉することにより、乾燥室の内部の湿度コントロールを適切に行い、高品質の乾海苔を製造することができる。」
（イ）「【図１】
【図２】
」
　以上の記載より、甲２には、下記の技術的事項が記載されている。
「乾燥室３の前後方向に複数のシート４０を設け、当該シート４０を開閉することにより、トンネル５０から空気加熱室３０へ流入する空気の量を乾燥室３内の湿度状態や、生産者の好みなどにより自由に決定できる乾海苔製造装置。」
ウ．甲３の記載事項
（ア）「【００３１】
　建屋１の天井１００には、一基、又は一対でなる屋上扇２（換気扇）を、望ましくは、建屋１の棟方向に数基有しており、建屋１の間仕切り空間部Ｂに排出された余剰量の高温高湿排気Ｐ、その他の空気を排出する。また、建屋１には、後述する排気開口部１０１と、外気吸込開口部１０２を有する。
【００３２】
　そして、この建屋１には、海苔乾燥機５と燃焼釜６を備えている。この海苔乾燥機５の天井には、高温高湿排気Ｐを排出する天井開放部５００を有する。この海苔乾燥機５と燃焼釜６とは配管５０１を介して連通しており、この燃焼釜６の後述する高温低湿の温風が、海苔乾燥機５の下方にある図示しない海苔簀に向って供給される。この燃焼釜６にはバーナを備えた釜６００が配備されている。そして、この燃焼釜６には、湿度調整された空気が導入される吸込開口部６０１を有する。図中６０２は燃焼釜６の吸込開口部６０１に設けたファンである。この燃焼釜６は、海苔乾燥機５の長手方向に複数基設けられる。この建屋１は、仕切り材、例えば、ビニールフィルム７を介して間仕切りされ、例えば、燃焼釜６と海苔乾燥機５との間を区画した間仕切り空間部Ｂが構成される。この間仕切り空間部Ｂに、後述する高温高湿排気Ｐが排気されるとともに、この高温高湿排気Ｐの流れを確定すること、又は建屋１の広範囲による結露防止に役立つこと、等の特徴がある。
　・・・・・
【００４２】
　また、この例では、スペースＡに、かつ建屋１（海苔乾燥機５、燃焼釜６）の長手方向（図１に於いて、手前から、奥面方向）に、温湿度調整器８を、複数基、併設配置か、又は図示しないが、斜設配備等の配置構造することで、通路１１、１２内における内外気のスムーズな流れを確保できる。」
（イ）「【図１】
」
 エ．甲４の記載事項
（ア）「【請求項１】
海苔乾燥建屋に設けた第１の外気吸込み口と、この建屋に設けた煙突を備えた複数基の加熱室と、またこの建屋に設けた前記加熱室と配管を介して連通する乾燥室とを利用した海苔乾燥装置であって、
  前記第１の外気吸込み口に連設した吸込み配管を、煙突に繞設した熱交換部を介して加熱室に連通し、またこの乾燥室の排気管を、前記建屋及び／又は他の加熱室に連通する構成とした海苔乾燥装置。
　・・・・・
【請求項３】
海苔乾燥建屋に設けた第１の外気吸込み口、及び第２の外気吸込み口を備えた補助ヒータと、この建屋に設けた煙突を備えた複数基の加熱室と、またこの建屋に設けた前記加熱室と配管を介して連通する乾燥室とを利用した海苔乾燥装置であって、
  前記第１の外気吸込み口に連設した吸込み配管を、煙突に繞設した熱交換部を介して加熱室に連通し、
  また前記補助ヒータに連通したダクトを、他の加熱室の上方に配備し、その開口を、この他の加熱室の上方に配備する構成とした海苔乾燥装置。
【請求項４】
請求項１又は請求項３に記載の海苔乾燥装置であって、前記加熱室を複数基設置する構成とし、この加熱室の両端基に前記煙突を配備する構成とした海苔乾燥装置。」
（イ）「【００３５】
　図１、図２において、１は建屋で、この建屋１にはシャッター（図示せず）を備えた第１の外気吸込み口２と内気排出口３（屋上扇３０を備えた排出口）を備える。また、この建屋１には、生海苔（抄き海苔）Ａを乾燥する乾燥室５と、この乾燥室５に熱風Ｎを供給する加熱室６と、この乾燥室５と加熱室６とを連通する配管７と、その加熱室６に設けられた煙突８と、が配備されている。
【００３６】
　なお、加熱室６は、建屋１の長手方向に複数基が設置されており、その加熱室６は、ファン６０が６基並列配置してあり、そのファン６０の下垂部に横架するように釜６１が設けられてある。なお、ファン６０は、第１外気吸込み口２よりファン６０ａ、６０ｂ、６０ｃ、６０ｄ、６０ｅ、６０ｆとする。
　その加熱室６の両端には、前記煙突８が連通されており、加熱室６の効率的な排気を担う。また、同じくその加熱室６のファン６０ａ、６０ｆの近傍には、第１外気吸込み口１に連設した吸込み配管１０を、煙突８に繞設した熱交換部８０を介して、設置してある。また、その加熱室６のファン６０ａ、６０ｆ以外のファン６０ｂ、６０ｅの近傍には乾燥室５からの使用済み熱風Ｓを排出する排出管９が連通してある。」
（ウ）「【図１】
【図２】
」
（２）対比・判断
ア．本件発明１について
（ア）対比
　本件発明１と甲１発明を対比すると、甲１発明の「小屋１００」、「海苔製造装置及び補助装置」、「乾燥室９」及び「空気加熱機３４」が設置される空間は、それぞれ本件発明１の「建屋」、「海苔製造機」、「乾燥室」及び「加熱室」に相当する。
　そして、甲１発明の「ファン１５及び第１の開閉部２１から成る排気ユニット」は、本件発明１の「排気部」に相当し、甲１発明の「乾燥室９に空気を加熱して温風として送り込む空気加熱機３４」、「乾燥室９から吹き上げられて第１室１１を通って流入した２次空気の混合室」及び「この混合室の混合ガスを乾燥室９の下部へ送り込」むこと、並びに「乾燥室９から第１室１１へ吹き上げられた２次空気を外界へ放出するためのファン１５及び第１の開閉部２１から成る排気ユニット」で２次空気を外界へ放出する点は、本件発明１の「加熱室の吸気部から吸気した空気を加熱して乾燥室に供給するとともに、海苔生地の乾燥に使用した加熱空気を乾燥室の排気部から排気」する点に相当する。
　してみれば、本件発明１と甲１発明は、次の一致点及び相違点を有する。
【一致点】
　建屋の内部に設置された海苔製造機であって、抄製した海苔生地を加熱空気で乾燥させる乾燥室と、乾燥室に加熱空気を供給する加熱室とを有し、加熱室の吸気部から吸気した空気を加熱して乾燥室に供給するとともに、海苔生地の乾燥に使用した加熱空気を乾燥室の排気部から排気する海苔製造機。
【相違点】
　本件発明１が、「乾燥室の排気部と加熱室の吸気部との間に乾燥室の排気部から加熱室の吸気部へと流入する空気の流入量を規制するための空気流入量規制装置を介設し、前記加熱室に複数の加熱装置を設けるとともに、各加熱装置に対応する空気流入量規制装置を設け、乾燥室の内部の湿度に応じて空気の流入量を規制するよう空気流入量規制装置を制御するコントローラーを有し、 
　コントローラーは、各空気流入量規制装置を別個に制御し、乾燥室の後側部分の湿度が所定湿度（第２後側所定湿度）よりも高い場合に、後側部分の空気流入量規制装置を制御して乾燥室の排気部から加熱室の前側の吸気部に流入する空気の量を減少させる」のに対し、 
　甲１発明が、「排気ユニットを乾燥室９の前後方向に複数個設け、また１次空気を外部から導入するための１次空気導入部としての第２の開閉部２２を第２室１３の前後方向に複数設けることにより第２室１３を外部から導入された１次空気と乾燥室９から吹き上げられて第１室１１を通って流入した２次空気の混合室とするとともに乾燥室９をその前後方向に温度及び又は湿度の調整が可能な複数のブロックに分割し、この混合室の混合ガスを乾燥室９の下部へ送り込み、乾燥室９から吹き上げる２次空気の温度及び又は湿度に基づいてファン１５並びに第１の開閉部２１及び第２の開閉部２２を制御し、 
　第１室１１と第２室１３の間の第３の開閉部２３は、乾燥室９から第１室１１に吹き上げた２次空気を第２室１３に導入するための２次空気導入部であり、第３の開閉部２３は乾燥室９内が適温適湿となるように開閉するか常時開とし、 
　ファン１５や各開閉部２１〜２３などの動作部は、コンピュータなどの制御部５０に制御される」点。 
（イ）判断
　上記相違点について検討すると、甲３（上記（１）ウ．参照。）及び甲４（上記（１）エ．参照。）には、複数の加熱装置を設ける点が記載されているものと認められる。
　しかし、甲３及び甲４には、各加熱装置に対応する空気流入量規制装置を設けるようにする点については記載がなく、単に甲１発明の空気加熱機を甲３及び甲４の記載に基づいて複数設けたとしても、各加熱装置に対応するように２次空気導入部である第３の開閉部２３（本件発明１の空気流入量規制装置に相当。）を設けることまで容易であるとはいえない。
　また、本件発明１の 「所定湿度（第２後側所定湿度）」とは、「海苔の乾燥に売り物にならない程度の悪影響を与えない湿度」であり、また、本件発明１の「後側部分の空気流入量規制装置を制御して乾燥室の排気部から加熱室の前側の吸気部に流入する空気の量を減少させる」とは、後側部分の空気流入量規制装置を開口面積が増大する方向に制御することにより、（乾燥室の排気部から加熱室の後側の吸気部に流入する空気の量を増大させ、結果として）乾燥室の排気部から加熱室の前側の吸気部に流入する空気の量を減少させることを意味すると認められ、相違点に係る本件発明１の構成を上記のように理解することに当事者間の争いはない。
　してみると、相違点に係る本件発明１の構成のうち、コントローラーが、「各空気流入量規制装置を別個に制御し、乾燥室の後側部分の湿度が所定湿度（第２後側所定湿度）よりも高い場合に、後側部分の空気流入量規制装置を制御して乾燥室の排気部から加熱室の前側の吸気部に流入する空気の量を減少させる」とは、コントローラが、各空気流入量規制装置を別個に制御し、乾燥室の後側部分の湿度が海苔の乾燥に売り物にならない程度の悪影響を与えない湿度よりも高い場合に、後側部分の空気流入量規制装置を開口面積が増大する方向に制御することにより、（乾燥室の排気部から加熱室の後側の吸気部に流入する空気の量を増大させ、結果として）乾燥室の排気部から加熱室の前側の吸気部に流入する空気の量を減少させること（以下、「本件制御」という。）を意味する。
　しかし、甲１には、甲１発明として認定した事項に加え、ブロック毎にファンや各開閉部などの動作部を制御することも記載されている（上記（１）ア．（イ）参照。）が、具体的に本件制御を行うことの記載はなく、また、本件制御が自明であるとは認められない。
　また、甲３及び甲４は、加熱装置を複数設けることについて開示するにすぎず、本件制御についての記載ないし示唆はない。
　さらに、甲２には上記（１）イ．記載のとおり、「乾燥室３の前後方向に複数のシート４０を設け、当該シート４０を開閉することにより、トンネル５０から空気加熱室３０へ流入する空気の量を乾燥室３内の湿度状態や、生産者の好みなどにより自由に決定できる乾海苔製造装置」について記載されているが、甲２にも本件制御についての記載はない。
　したがって、本件発明１は、甲１発明及び甲１〜４に記載された事項に基いて、本件特許出願前に当業者が容易に発明をすることができたものであるとはいえない。
イ．本件発明２について
　本件発明２は、本件発明１を引用して減縮するものであり、本件発明１の発明特定事項のすべてを含むものである。
　よって、本件発明１と同様の理由により、当業者であっても甲１発明及び甲１〜４に記載された事項に基いて容易に発明をすることができたものとはいえない。
（３）小括
　以上のとおりであるから、請求項１及び２についての特許は、無効理由１によって無効とすることはできない。
第５　むすび
　以上のとおりであるから、請求人の主張する無効理由１〜３はいずれも理由がなく、請求人の主張によっては本件発明１及び２に係る特許を無効とすることはできない。
　また、審判に関する費用については、特許法第１６９条第２項の規定で準用する民事訴訟法第６１条の規定により、請求人が負担すべきものとする。
　よって、結論のとおり審決する。